(57)【要約】【課題】軽量で持ち重りが小さく、穂先先部での繊細な調子を満足した上で、強度が向上した釣竿を提供することを目的とする。【解決手段】強化繊維に合成樹脂を含浸した繊維強化樹脂製の竿管で構成される釣竿であって、その穂先の先端から第１テーパ部２０ａ、その後方に第２テーパ部２０ｂを有し、少なくとも第１テーパ部２０ａを含む先端から５００ｍｍ以内の竿管最外層に、主たる繊維方向が軸長方向に対して斜向している補強層３５を形成したことを特徴とする。【選択図】    図２
2005040075.tif 000002
【特許請求の範囲】
【請求項１】
強化繊維に合成樹脂を含浸した繊維強化樹脂製の竿管で構成される釣竿であって、
その穂先の先端から第１テーパ部、その後方に第２テーパ部を有し、
少なくとも前記第１テーパ部を含む先端から５００ｍｍ以内の竿管最外層に、主たる繊維方向が軸長方向に対して斜向している補強層を形成したことを特徴とする釣竿。
【請求項２】
前記補強層は、織布状のガラスクロスで形成されていることを特徴とする請求項１に記載の釣竿。
【請求項３】
前記補強層は、穂先先端から、その竿管全長の１／４迄の範囲に設けられていることを特徴とする請求項１又は２に記載の釣竿。
【請求項４】
前記補強層は、樹脂含浸量が４０重量％〜８５重量％のシート状の繊維強化プリプレグで形成されていることを特徴とする請求項１乃至３のいずれか１項に記載の釣竿。
【請求項５】
前記穂先を有する竿管は、合成樹脂を含浸したシート状の繊維強化プリプレグを主体とした本体層の平均樹脂含浸量が２５重量％以下であることを特徴とする請求項１乃至４のいずれか１項に記載の釣竿。
【請求項６】
前記釣竿は、前記穂先を有する竿管１本で構成されていることを特徴とする請求項１乃至５のいずれか１項に記載の釣竿。
【発明の詳細な説明】
【技術分野】
【０００１】
この発明は、穂先部分に特徴を有する釣竿に関する。
【背景技術】
【０００２】
通常、釣竿は、炭素繊維等の強化繊維に合成樹脂を含浸したシート状の部材（プリプレグ）を巻回して形成される竿管を、複数本継合することで構成されている。そして、このようなプリプレグによって形成される釣竿の中でも、例えばルアーフィッシングに使用されるものは、できるだけ軽量化されていることが望ましく、そのような用途に使用される釣竿は、通常、樹脂含浸量を極力少なくして持ち重り感が無いように設計されている。
【０００３】
ところが、このように軽量化した釣竿は、径の細い穂先部分が破損、折損等し易いという問題が生じる。このため、例えば、特許文献１に開示されているように、竿管全体を形成する本体層（本体プリプレグ）の内層側、及び／又は外層側に、その本体層を構成するプリプレグと同様な形状のプリプレグによる補強層を形成することが知られている。
【特許文献１】特開平７−２５５３３１号公報。
【発明の開示】
【発明が解決しようとする課題】
【０００４】
しかしながら、上記したような本体層と同様な大きさによって構成される補強層を形成することは、その分、持ち重りが大きくなってしまい、上記したようなルアーフィッシングで使用する釣竿では、繊細な調子が満足されなくなってしまう。
【０００５】
本発明は、このような問題に着目してなされたものであり、軽量で持ち重りが小さく、穂先先部での繊細な調子を満足した上で、強度が向上した釣竿を提供することを目的とする。
【課題を解決するための手段】
【０００６】
上記した課題を解決するために、本発明は、強化繊維に合成樹脂を含浸した繊維強化樹脂製の竿管で構成される釣竿であって、その穂先の先端から第１テーパ部、その後方に第２テーパ部を有し、少なくとも前記第１テーパ部を含む先端から５００ｍｍ以内の竿管最外層に、主たる繊維方向が軸長方向に対して斜向している補強層を形成したことを特徴とする。
【０００７】
このような構成では、第１テーパ部及び第２テーパ部を形成したことにより、その変換点で剛性変化させて穂先側で微妙な調子（狙った調子）を出すことが容易に行なえる。そして、特に、破損、折損等が生じやすい穂先の先部（先端から５００ｍｍ以内の第１テーパ部領域）の最外層において、強化繊維の繊維方向が斜向した補強層を形成することで、持ち重りを極力犠牲にすることなく、強度の安定性を出すことができる。すなわち、必要最小限の部分に、効果的に補強層を配設することで、持ち重り感を発生させること無く、強度が維持される。
【発明の効果】
【０００８】
本発明の構成によれば、軽量で持ち重りが小さく、穂先先部での繊細な調子を満足した上で、強度が向上した釣竿が得られる。
【発明を実施するための最良の形態】
【０００９】
以下、本発明に係る釣竿の一実施形態について、添付図面を参照して具体的に説明する。
【００１０】
図１は、本発明に係る釣竿の一実施形態を示す側面図である。この実施形態の釣竿１は、外ガイド方式で、ワンピースロッド（１本竿）として形成されている。具体的には、釣竿１は、単一の竿管２によって構成されており、基端側に、握持保持されるグリップ５及びリール（両軸受型リール）Ｒが装着されるリールシート７を具備したハンドル９が設けられている。この場合、ハンドル９は、竿管２と共に一体化される構成であっても良いし、竿管２に対して交換可能となるように、別体として構成されるものであっても良い。なお、ハンドル９は、図に示すように、グリップ５に、操作性が向上するようにトリガー５ａが形成されたものであっても良いし、そのリールシート７は、釣糸ガイドとの位置関係で、スピニングリールが装着されるような構成であっても良い。
【００１１】
上記した竿管２には、穂先から順番に、リールＲから繰出される釣糸が案内されるように、釣糸ガイド１０，１１，１２，１３，１４，１５が、糸巻き、糸止め等によって配設、固定されている。
【００１２】
次に、図２を参照して、上記した竿管２の具体的な構成について説明する。  
竿管２は、炭素繊維やガラス繊維等の強化繊維に、エポキシ樹脂等の熱硬化性の樹脂を含浸させたプリプレグを所定の形状に裁断し、これを定法に従って、芯金２０に巻回して緊締テープで安定化し、その後、加熱、脱芯等することにより筒状に成形されている。ここで、芯金２０は、成形される竿管２のテーパ及び径を決定するものであり、本発明においては、芯金２０には、先端から所定の長さ（先端から５００ｍｍ以内）形成される第１テーパ部２０ａと、その後方に第２テーパ部２０ｂが形成されている。
【００１３】
このように芯金２０に複数のテーパを形成することで、それによって成形される竿管２の両テーパ部分の変換点Ｐにおいて剛性変化を生じさせて、穂先の調子（アクションを出し易い）が良好な釣竿が得られる。
【００１４】
竿管２は、長手方向全体に亘って芯金２０に順に巻回される本体プリプレグ３０，３１（竿管２の本体層を構成する）と、竿管２の調子を出すために部分的（基端側から所定領域）に巻回される補助プリプレグ３２（竿管２の本体層の一部を構成する調子耳）とを備えており、さらに、本体プリプレグ３１の外側において、上記した第１テーパ部２０ａを含む領域に巻回される補強プリプレグ３５（穂先側を補強する補強層を構成する）とを備えて構成されている。
【００１５】
上記した本体プリプレグ３０は、炭素繊維を軸長方向に引き揃えたものであり、その炭素繊維の弾性率は３０〜３５ｔｏｎ／ｍｍ2、樹脂含浸量は２０重量％、厚さは０．０４〜０．０６ｍｍで構成され、芯金２０に対する巻回数が３〜４ｐｌｙとなるように裁断されている。また、上記した本体プリプレグ３１も同様、炭素繊維を軸長方向に引き揃えたものであり、その炭素繊維の弾性率は３０〜３５ｔｏｎ／ｍｍ2、樹脂含浸量は２５重量％、厚さは０．０４〜０．０９ｍｍで構成され、芯金２０に対する巻回数が１〜３ｐｌｙとなるように裁断されている。また、上記した本体層を構成する補助プリプレグ３２は、炭素繊維を軸長方向に引き揃えたものであり、その炭素繊維の弾性率は３０〜３５ｔｏｎ／ｍｍ2、樹脂含浸量は２０重量％、厚さは０．０６〜０．０８ｍｍで構成され、芯金２０に対する巻回数が１〜３ｐｌｙとなるように裁断されている。
【００１６】
そして、上記した穂先から基端側にかけて所定領域巻回される補強プリプレグ３５は、弾性率が７．４ｔｏｎ／ｍｍ2のガラス繊維を織布状（スクリムシート）にし、樹脂含浸量を４５重量％、厚さが０．０２７ｍｍで構成されており、芯金２０に対する巻回数が１ｐｌｙとなるように裁断されている。この場合、織布状にされたガラス繊維の主たる繊維方向は、軸長方向に対して斜向するようにして芯金２０の第１テーパ部２０ａの領域に巻回される。すなわち、上記したような織布状のプリプレグを巻回する場合では、その織り込まれた強化繊維の繊維方向が軸長方向に対して（０度、９０度）とならないように巻回される。なお、ここでの織布状のシートは、主たる繊維方向が斜向していれば良く、部分的に軸長方向に向いた強化繊維が存在していても良い。
【００１７】
上記したように構成される竿管２によれば、以下のような効果が得られる。  
上記したように、竿管に第１テーパ部と第２テーパ部を形成することで、所望の調子、特に穂先の先部にデリケートな調子を出すことが可能となる。この場合、そのような構成の釣竿において、穂先領域は他物に当たることで破損、折損等し易くなるが、上記したような領域部分に補強プリプレグ３５を巻回することで、持ち重りを極力犠牲にすることなく、先部の強度の安定性を出すことができる。また、補強層として、上記したような弾性率が低いガラス繊維によるスクリムシートを用い、その繊維の配向を軸長方向に対して斜向させたことで、穂先部分の調子が硬くなり難く、狙いの調子を維持し易くなる。しかも、細径の竿管にも番手の調整により巻回が容易に行なえるようになり、繊維がバラけることも無く作業性良く巻回作業が行なえる。また、図に示すようなワンピースロッドの場合、所望の調子と強度を両立させるためには、テーパによる調整が必要となるが、強度的に折れ易い先部が効果的に補強されることにより、破損等の損失を効果的に防止することが可能となる。
【００１８】
上記した構成において、本体層を構成する本体プリプレグ３０，３１，３２は、その平均樹脂含浸量が２５重量％以下となるように構成することが好ましい。このように、本体層の平均樹脂含浸量を２５重量％以下にすることで、竿管２全体の軽量化が図れると共に、持ち重りを低減することが可能になる。また、この場合、本体層の樹脂含浸量については、外層に移行するに従って多くなるように設定することが好ましい。このように構成することで、外層からの初期破壊を効果的に抑制することが可能になる。
【００１９】
また、上記した本体層を構成する本体プリプレグ３０，３１，３２は、一例を示したに過ぎず、その巻回数や肉厚、用いられる強化繊維の種類、強化繊維の引き揃え方向については、釣竿の構成、種類、用途等に応じて、適宜変形することが可能である。例えば、割れを防止するために強化繊維を周方向に引き揃えたプリプレグを上記の本体プリプレグ３０，３１に重合したり、別途巻回するようにしても良い。或いは、穂先側の調子を調節するために、補助的なプリプレグを巻回するようにしても良い。
【００２０】
上記した本体プリプレグの外側に巻回される補強プリプレグ３５についても適宜変形することが可能である。例えば、上記した補強プリプレグは、強化繊維が織布状に構成されていたが、それ以外にも、軸長方向に対して斜向した強化繊維を引き揃えたプリプレグであっても良く、用いられる強化繊維についても、ガラス繊維以外の低弾性率のもの（１５ｔｏｎ／ｍｍ2以下）やアラミド繊維（６〜１３ｔｏｎ／ｍｍ2）を用いても良い。また、厚さについては、極力軽量化が図れるように、薄く（０．０２〜０．１ｍｍ程度）するのが好ましく、その巻回数も１ｐｌｙにすることが好ましい。
【００２１】
また、補強プリプレグの樹脂含浸量は、４０〜８５重量％に設定しておくことが好ましい。このように、折れ易い部分における最外層に樹脂量の多いシート（本実施形態ではガラス繊維のスクリムシート）を配設しておくことで、衝撃に強くなり、破損、折損し難くなる。また、竿管２の本体層の樹脂含浸量が低くても、そのシート部材の巻き終わりの開き防止効果が得られ、作業性も良くなる。
【００２２】
また、補強プリプレグは、穂先から５００ｍｍ以内で、少なくとも第１テーパ部２０ａの領域で巻回されることが好ましい。通常、上記したように、極力軽量化を図った釣竿では、その殆どが上記した範囲内で、破損、折損等が発生していることから、このように必要最小限の領域に補強層を配設することで、持ち重りを生じさせることなく、強度の安定を図ることが可能になる。具体的には、竿管全体の長さを考慮した場合、その全長Ｌに対して、１／４Ｌまでの範囲（少なくとも、第１ガイド１０〜第４ガイド１３をカバーする領域）に設けておけば、持ち重りを感じさせること無く、十分な補強効果が得られる。なお、補強プリプレグ３５の後端位置は、上記した第１テーパ部２０ａと第２テーパ部２０ｂとの変換点Ｐよりも前方にあっても、後方にあっても良い。
【００２３】
上記した実施形態では、釣竿は、ワンピースロッドとして構成されていたが、複数の竿管を振出し式、或いは並継式に構成したものであっても良い。この場合、上記したような補強層は、先端にある穂先竿管の先端側に、同様な構成で配設しておけば良い。また、このような複数の竿管によって構成される釣竿の穂先竿管では、１ピースロッドのように、必ずしもテーパ部を形成しなくても良い。
【産業上の利用可能性】
【００２４】
本発明は、上記した外ガイド方式の釣竿以外にも、中通し式の釣竿においても適用することが可能である。
【図面の簡単な説明】
【００２５】
【図１】本発明に係る釣竿の一実施形態を示す側面図。
【図２】図１に示す釣竿の竿管を成形するプリプレグのパターン例を示す図。
【符号の説明】
【００２６】
１  釣竿
２  竿管
１０，１１，１２，１３，１４，１５  釣糸ガイド
２０  芯金
２０ａ  第１テーパ部
２０ｂ  第２テーパ部
３０，３１，３２  本体プリプレグ
３５  補強プリプレグ
【図１】
2005040075.tif 000003
【図２】
2005040075.tif 000004